(57)【要約】【課題】灯具本体を器具本体に取り付ける際に、灯具本体と器具本体とを接続する電線を挟み込むのを防止できる照明器具を提供する。【解決手段】器具本体２０に設置された電源装置２３と、灯具本体３０に設けられたＬＥＤユニット３２とを電気的に接続する電線２８に、弾性を有するガイド板４０を取り付けて、ガイド板４０の一端４３を器具本体２０に取り付けた。このため、電線２８は自由に変形できず、弾性を有する板状のガイド板４０の変形可能方向に沿って変形するので、灯具本体３０を器具本体２０に取り付ける際に、電線２８が灯具本体３０と器具本体２０との間に挟まれるのを防止できる。【選択図】図４
2014010905.tif 000002
【特許請求の範囲】
【請求項１】
天井に設けられた取付穴に取り付ける器具本体と、
前記器具本体に設置される電源装置と、
前記器具本体に着脱可能に取り付けられる灯具本体と、
前記電源装置と前記灯具本体に設けられたＬＥＤユニットとを電気的に接続する電線と、を有し、
前記電線に弾性を有するガイド板を取り付けるとともに、
前記ガイド板の一端を前記器具本体に取り付けた照明器具。
【請求項２】
請求項１に記載の照明器具において、
前記ガイド板の幅寸法が、前記電線の幅寸法よりも大きい照明器具。
【請求項３】
請求項１または請求項２に記載の照明器具において、
前記ガイド板の長さ寸法が、前記電線の長さ寸法と同等である照明器具。
【請求項４】
請求項１ないし請求項３のうちのいずれか１項に記載の照明器具において、
前記ガイド板が、折曲げ可能である照明器具。
【発明の詳細な説明】
【技術分野】
【０００１】
本発明は、器具本体に取り付けられた電源装置と灯具本体とを電線で電気的に接続する照明器具に関するものである。
【背景技術】
【０００２】
従来より、器具本体に取り付けられた電源装置と、器具本体に着脱可能に取り付けられる灯具本体とを電線で電気的に接続することが行われている（例えば、特許文献１参照）。
図７に示すように、特許文献１に記載の照明器具１００は、被取付部である天井（図示省略）等に取り付けられる器具本体１０１と、反射板１０２と、一対のランプソケット１０３と、電線１０４と、を有する。ランプソケット１０３には、光源である蛍光ランプ（図示省略）が取り付けられる。
反射板１０２は、断面略Ｖ字形状を呈しており、その内側の斜面間に取付杆１０５が設けられている。反射板１０２は蛍光ランプの光を下方に反射する。
【０００３】
器具本体１０１は、反射板１０２の取付杆１０５の中間部を挟持する取付金具１０６を有する。取付金具１０６は、取付杆１０５を侵入させるスリット１０７を有しており、スリット１０７の内側にはスリット１０７に挿入された取付杆１０５を係止する取付ばね１０８を有する。
一対のランプソケット１０３は、器具本体１０１の長手方向両端部に設けられており、反射板１０２の前方（下方）に突出している。ランプソケット１０３は、電線１０４により器具本体１０１に接続されている。
【０００４】
従って、反射板１０２を器具本体１０１に取り付ける際には、反射板１０２を器具本体１０１に被せるようにして、取付杆１０５を取付金具１０６のスリット１０７に挿入し、取付ばね１０８に押し込む。
これにより、取付杆１０５が取付ばね１０８に挟持されるので、反射板１０２を器具本体１０１に取付けることができる。
【先行技術文献】
【特許文献】
【０００５】
【特許文献１】実開平６−５０２０号公報（第１図）
【発明の概要】
【発明が解決しようとする課題】
【０００６】
しかしながら、上述したような従来の照明器具においては、反射板１０２（灯具本体）を器具本体１０１に取り付ける際に、器具本体１０１との間に電線１０４を挟み込む場合があり、絶縁不良等の不具合を生じる場合があるという問題があった。
【０００７】
本発明は、従来の問題を解決するためになされたもので、灯具本体を器具本体に取り付ける際に、灯具本体と器具本体との間に電線を挟み込むのを防止できる照明器具を提供することを目的とする。
【課題を解決するための手段】
【０００８】
本発明の照明器具は、天井に設けられた取付穴に取り付ける器具本体と、前記器具本体に設置される電源装置と、前記器具本体に着脱可能に取り付けられる灯具本体と、前記電源装置と前記灯具本体に設けられたＬＥＤユニットとを電気的に接続する電線と、を有し、前記電線に弾性を有するガイド板を取り付けるとともに、前記ガイド板の一端を前記器具本体に取り付けたものである。
【０００９】
また、本発明の照明器具は、前記ガイド板の幅寸法が、前記電線の幅寸法よりも大きいものである。
【００１０】
また、本発明の照明器具は、前記ガイド板の長さ寸法が、前記電線の長さ寸法と同等であるものである。
【００１１】
さらに、本発明の照明器具は、前記ガイド板が、折曲げ可能であるものである。
【発明の効果】
【００１２】
本発明は、器具本体に設置された電源装置と灯具本体に設けられたＬＥＤユニットとを電気的に接続する電線に、弾性を有するガイド板を取り付けて、ガイド板の一端を器具本体に取り付けた。このため、電線は自由に変形できず、弾性を有する板状のガイド板の変形可能方向に沿ってのみ変形するので、灯具本体を器具本体に取り付ける際に、電線が灯具本体と器具本体との間に挟まれるのを防止できるという効果を有する照明器具を提供できる。
【図面の簡単な説明】
【００１３】
【図１】本発明に係る実施形態の照明器具を天井の取付穴に取り付けた状態の断面図
【図２】本発明に係る実施形態の照明器具の分解斜視図
【図３】電線を取り付けたガイド板の平面図
【図４】図２中ＩＶ方向から見た器具本体の斜視図
【図５】図４中Ｖ方向から見た器具本体およびガイド板の斜視図
【図６】電線を支持するガイド板を湾曲させた状態の斜視図
【図７】従来の照明器具の分解斜視図
【発明を実施するための形態】
【００１４】
以下、本発明に係る実施形態の照明器具について、図面を用いて説明する。
図１に示すように、本発明に係る実施形態の照明器具１０は、天井１１に設けられている取付穴１２に取り付けて、下方を照明するのに用いることができる。
図１および図２に示すように、照明器具１０は、下方に開口する矩形箱状の器具本体２０と、器具本体２０に取り付けられる灯具本体３０を有する。
【００１５】
器具本体２０の下端部には、器具本体２０を天井１１の取付穴１２に取り付けた際に、天井１１の下面に当接して下方に露出する枠部２６が設けられている。
器具本体２０の天板２１には長手方向の両端部に吊金具２２が設けられており、天井１１の取付穴１２に設けられている取付ボルト１３に吊金具２２を取り付けることにより、器具本体２０を天井１１の取付穴１２に取り付ける。
器具本体２０の天板２１の上面には、電源装置２３が取り付けられており、ブロックカバー２７で覆われている。
【００１６】
電源装置２３は、長手方向の一端部に電源用端子台２３１を有しており、取付穴１２に配線されている電源線１４に接続される。また、電源装置２３は、長手方向他端部に調光信号用端子台２３２を有しており、取付穴１２に配線されている調光信号線１５に接続される。電源装置２３には、点灯電力供給用の電線２８の一端が接続されており、他端には器具側コネクタ２４が取り付けられている。
また、器具本体２０の長手方向両端部には落下防止ワイヤ２５が設けられており、落下防止ワイヤ２５の先端は灯具本体３０に取り付けられる。これにより、灯具本体３０を器具本体２０から取り外した際に、灯具本体３０が落下するのを防止している。
【００１７】
灯具本体３０は、内部に光源であるＬＥＤ（図示省略）を備えたＬＥＤユニット３２を有し、ＬＥＤユニット３２の前方（下方）には複数枚のルーバー板３３１を有するルーバー３３が取り付けられる。
ＬＥＤユニット３２には灯具側コネクタ３１が取り付けられており、電線２８に取り付けられている器具側コネクタ２４に接続して、点灯電力の供給を受ける。
【００１８】
図３に示すように、電線２８には、弾性を有するガイド板４０が取り付けられる。
ガイド板４０は、弾性を有する細長い矩形板状部材であり、例えば、樹脂製のものを用いることができる。ガイド板４０の幅寸法Ｂ１は、器具本体２０の内幅寸法Ｗ（図４参照）よりも小さく、かつ、電線２８の幅寸法Ｂ２よりも大きい。
なお、ガイド板４０の上端部（一端）４３には凸部４３１が設けられており、先端部４６には先細りの傾斜が設けられている。
【００１９】
また、ガイド板４０の長さ寸法は、電線２８の長さ寸法と同等である。ここで、同等とは、電線２８をガイド板４０に取り付けた際に、電線２８が過度にあまってガイド板４０から長くはみ出さないような長さであることを意味する。
従って、電線２８が若干あまるような場合も含む。
なお、電線２８には、アース線２８１を含む場合もある。
【００２０】
ガイド板４０には、複数個（図３においては、例えば３個）の開口４１が設けられている。開口４１は、ガイド板４０の幅方向中央部において、例えば、菱形に設けられているが、開口４１の形状は菱形に限定するものではない（図６参照）。
従って、電線２８を、ガイド板４０の裏側（紙面裏側）から開口４１１に通して表側（紙面表側）に出し、隣接する開口４１２においてガイド板４０の裏側に通す。さらに、次の開口４１３においてガイド板４０の表側に通すことにより、電線２８をガイド板４０に取り付けることができる。このとき、開口４１が菱形形状なので、電線２８は開口４１の中心に位置決めされる。
また、ガイド板４０には、中央部において幅方向に折曲げ線４２が設けられており、折曲げ線４２において折曲げ可能となっている。
【００２１】
図４および図５に示すように、ガイド板４０の上端部４３は、例えば、ねじ４４によって器具本体２０に取り付けられる。この際、ガイド板４０の上端部４３に設けられている凸部４３１を器具本体２０に設けられているスリット２１１に挿嵌することにより、位置決めすることができる。
従って、ガイド板４０を器具本体２０内において幅方向中央に取り付けることにより、電線２８を器具本体２０における幅方向中央に取り付けることができる。同様に、ガイド板４０を器具本体２０内における幅方向端部側に設けることにより、電線２８を、幅方向端部側に設けることも可能である。
【００２２】
図６に示すように、ガイド板４０は、弾性を有する板状部材であるので、ガイド板４０を曲げると、ガイド板４０の表面側あるいは裏面側にのみ湾曲可能である。このため、ガイド板４０に支持される電線２８も、ガイド板４０の表面側あるいは裏面側にのみ湾曲可能である。
なお、図６においては、矩形の開口４５を所定間隔で設け、開口４５において電線２８をガイド板４０の裏面側から表面側へ通し、隣接する次の開口４５において電線２８を表面側から裏面側へ通して電線２８を保持している。
【００２３】
ガイド板４０の長手方向中央部分には折曲げ線４２が設けられているので、ガイド板４０を一定量以上湾曲させると、折曲げ線４２から折曲げることができる。折曲げ線４２は、幅方向に設けられているので、ガイド板４０は表面と直交する方向へのみ折曲げ可能である。
従って、灯具本体３０を器具本体２０に取り付けると、ガイド板４０は折曲げ線４２において折曲げられて、器具本体２０内部に収容される（図１参照）。
【００２４】
以上、説明した本発明に係る実施形態の照明器具１０によれば、器具本体２０に設置された電源装置２３と、灯具本体３０に設けられたＬＥＤユニット３２とを電気的に接続する電線２８に、弾性を有するガイド板４０を取り付けた。そして、ガイド板４０の上端部４３を器具本体２０に取り付けた。
このため、電線２８は自由に変形できず、弾性を有する板状のガイド板４０の変形可能方向に沿ってのみ変形するので、灯具本体３０を器具本体２０に取り付ける際に、電線２８が灯具本体３０と器具本体２０との間に挟まれるのを防止できる。
【００２５】
ガイド板４０の幅寸法Ｂ１は、電線２８の幅寸法Ｂ２よりも大きいので、電線２８をガイド板４０の幅からはみ出さないように収容できる。
これにより、灯具本体３０を器具本体２０に取り付ける際に、電線２８がガイド板４０からはみ出して、灯具本体３０と器具本体２０との間に挟まれるのを確実に防止できる。
【００２６】
ガイド板４０の長さ寸法が、電線２８の長さ寸法と同等であるので、電線２８の余長がガイド板４０から大きくはみ出さない。
これにより、灯具本体３０を器具本体２０に取り付ける際に、電線２８がたるんで灯具本体３０と器具本体２０との間に挟まれるのを確実に防止できる。
【００２７】
ガイド板４０は折曲げ可能であるので、電線２８は、ガイド板４０の折曲げ方向に沿って変形する。
従って、電線２８の収納方向および収納スペースが限定できるので、電線２８を挟み込むような部品等を収納スペースに設けないようにすることにより、電線２８が灯具本体３０と器具本体２０との間に挟まれるのを確実に防止できる。
【００２８】
なお、本発明の照明器具は、前述した実施形態に限定されるものでなく、適宜な変形、改良等が可能である。
例えば、前述した実施形態にかかる照明器具１０では、灯具本体３０の下側にルーバー３３を取り付けた場合を例示したが、ルーバー３３の代わりに、透光性を有するカバーを取り付ける場合にも適用可能である。
【００２９】
また、前述した実施形態にかかる照明器具１０では、ガイド板４０に開口４１、４５を設け、開口４１、４５に電線２８を通すことにより電線２８を保持する場合を例示したが、これに限定するものではない。そのほかの保持手段により、電線２８をガイド板４０に保持する場合にも適用可能である。
【符号の説明】
【００３０】
１０  照明器具
１１  天井
１２  取付穴
２０  器具本体
２３  電源装置
２８  電線
３０  灯具本体
３２  ＬＥＤユニット
４０  ガイド板
４３  上端部（一端）
Ｂ１  ガイド板の幅寸法
Ｂ２  電線の幅寸法
【図１】
2014010905.tif 000003
【図２】
2014010905.tif 000004
【図３】
2014010905.tif 000005
【図４】
2014010905.tif 000006
【図５】
2014010905.tif 000007
【図６】
2014010905.tif 000008
【図７】
2014010905.tif 000009